(57)【要約】【課題】複写済みの複写先紙葉類の管理を容易に行える紙葉類複写管理システムを供給する。【課題を解決するための手段】複写元となる複写元紙葉類Ｓｙに印刷又は書き込みされてなる可視情報を複写先となる複写先紙葉類Ｓｘに複写するとともに、識別情報を記憶する記憶部材を前記複写元紙葉類Ｓｙおよび前記複写先紙葉類Ｓｘのうち少なくとも一方に対して付与すべく供給することにより、その複写元紙葉類Ｓｙおよび複写先紙葉類Ｓｘのうち少なくとも一方を管理し得るように構成したシステムであって、前記可視情報を前記複写元紙葉類Ｓｙから読み取って複写先紙葉類Ｓｘに複写出力する複写出力手段と、所定のタイミングで、記憶部材を前記複写元紙葉類Ｓｙおよび複写先紙葉類Ｓｘのうち少なくとも一方に対して付与すべく供給する供給手段１０５と、前記供給手段１０５が供給する記憶部材に記憶している識別情報を取得する識別情報取得手段１０６と、前記識別情報取得手段１０６で取得する識別情報を管理する複写データ管理手段２２とを具備するようにした。【選択図】図４
2005107057.tif 000002
【特許請求の範囲】
【請求項１】
複写元となる複写元紙葉類に印刷又は書き込みされてなる可視情報を複写先となる複写先紙葉類に複写するとともに、識別情報を記憶する記憶部材を前記複写元紙葉類および前記複写先紙葉類のうち少なくとも一方に対して付与すべく供給することにより、その複写元紙葉類および複写先紙葉類のうち少なくとも一方を管理し得るように構成したシステムであって、
前記可視情報を前記複写元紙葉類から読み取って複写先紙葉類に複写出力する複写出力手段と、
所定のタイミングで、記憶部材を前記複写元紙葉類および複写先紙葉類のうち少なくとも一方に対して付与すべく供給する供給手段と、
前記供給手段が供給する記憶部材に記憶している識別情報を取得する識別情報取得手段と、
前記識別情報取得手段で取得する識別情報を管理する複写データ管理手段とを具備することを特徴とする紙葉類複写管理システム。
【請求項２】
前記供給手段が、記憶部材を前記複写先紙葉類に対して付与すべく供給する第１供給手段を備え、
前記識別情報取得手段が、前記第１供給手段が供給する記憶部材に記憶している識別情報を複写先識別情報として取得する複写先識別情報取得手段を備えるものであって、
前記複写データ管理手段が、前記複写先識別情報取得手段で取得した複写先識別情報を管理するように構成していることを特徴とする請求項１記載の紙葉類複写管理システム。
【請求項３】
前記供給手段が、記憶部材を前記複写先紙葉類に対して付与すべく供給する第１供給手段と、記憶部材を前記複写元紙葉類に対して付与すべく供給する第２供給手段とを備え、且つ、
前記識別情報取得手段が、前記第１供給手段が供給する記憶部材に記憶している識別情報を複写先識別情報として取得する複写先識別情報取得手段と、前記第２供給手段が供給する記憶部材に記憶している識別情報を複写元識別情報として取得する複写元識別情報取得手段と備えるものであって、
前記複写データ管理手段が、前記複写先識別情報取得手段で取得した複写先識別情報と、前記複写元識別情報取得手段で取得した複写元識別情報とを関連付けて管理するように構成していることを特徴とする請求項１記載の紙葉類複写管理システム。
【請求項４】
前記複写データ管理手段が、複写元紙葉類に備えた記憶部材に記憶する複写元識別情報と前記複写元紙葉類上の可視情報と対応したデジタル情報とを関連付けて管理するものであり、
前記供給手段が、記憶部材を前記複写先紙葉類に対して付与すべく供給する第１供給手段を備え、
前記識別情報取得手段が、前記第１供給手段が供給する記憶部材に記憶している識別情報を複写先識別情報として取得する複写先識別情報取得手段と、前記複写元紙葉類に備えた記憶部材に記憶している識別情報を複写元識別情報として取得する複写元識別情報取得手段と備え、さらに、
前記複写元識別情報取得手段で取得した複写元識別情報と関連付けて管理されている所定のデジタル情報を抽出するデータ抽出手段とを具備するものであって、
前記複写データ管理手段が、前記複写先識別情報取得手段で取得した複写先識別情報と、前記データ抽出手段で抽出した前記所定のデジタル情報とを関連付けて管理することを特徴とする請求項１記載の紙葉類複写管理システム。
【請求項５】
前記所定のデジタル情報が、少なくとも１以上のアクセスレベルによりそのアクセスを制限されるものであることを特徴とする請求項４記載の紙葉類複写管理システム。
【請求項６】
前記アクセスレベルが、前記デジタル情報の読み取り、前記デジタル情報への書き込み、前記デジタル情報の内容の変更、前記デジタル情報の削除、前記デジタル情報に係る所定処理の実行、前記デジタル情報の印刷、前記デジタル情報の新たな場所への保存、のうち少なくとも一つを含むものであることを特徴とする請求項５記載の紙葉類複写管理システム。
【請求項７】
前記アクセスレベルの設定又は変更を受け付けるアクセスレベル設定手段を具備していることを特徴とする請求項５又は６記載の紙葉類複写管理システム。
【請求項８】
前記供給手段が、記憶部材を前記複写元紙葉類に対して付与すべく供給する第２供給手段を備え、
前記識別情報取得手段が、前記第２供給手段が供給する記憶部材に記憶している識別情報を複写元識別情報として取得する複写元識別情報取得手段を備えるものであって、
前記複写データ管理手段が、前記複写元識別情報取得手段で取得した複写元識別情報を管理するように構成していることを特徴とする請求項１記載の紙葉類複写管理システム。
【請求項９】
前記第２供給手段が供給する記憶部材が、前記複写元紙葉類から取り外された記憶部材であることを特徴とする請求項８記載の紙葉類複写管理システム。
【請求項１０】
前記第２供給手段が供給する記憶部材が、前記複写元紙葉類から取り外された記憶部材と異なる記憶部材であることを特徴とする請求項８記載の紙葉類複写管理システム。
【請求項１１】
前記識別情報取得手段が、前記記憶部材に記憶している所定の情報を非接触方式にて読み取り可能に動作する無線通信デバイスであることを特徴とする請求項１乃至１０いずれか記載の紙葉類複写管理システム。
【請求項１２】
前記複写データ管理手段が、個人を識別可能な個人情報と前記識別情報取得手段で取得する識別情報とを関連付けて管理するように構成していることを特徴とする請求項１乃至１１いずれか記載の紙葉類複写管理システム。
【請求項１３】
前記個人情報に、前記紙葉類を保管するために前記個人用に設けられた保管場所に係る情報を含むことを特徴とする請求項１２記載の紙葉類複写管理システム。
【請求項１４】
前記複写データ管理手段で管理される個人情報と識別情報との関連付けを解除する個人情報登録解除命令を受け付ける個人情報登録解除命令受付手段を備えていることを特徴とする請求項１２又は１３記載の紙葉類複写管理システム。
【請求項１５】
前記複写データ管理手段で管理される識別情報の管理状態を変更するための管理状態変更命令を受け付ける管理状態変更命令受付手段を備えていることを特徴とする請求項１乃至１４いずれか記載の紙葉類複写管理システム。
【請求項１６】
前記記憶部材が、複数枚の紙葉類を綴じることが可能な綴じ具に一体的または他の部材を介して半一体的に備えられてなるものであって、
前記供給手段が、前記記憶部材を装備した装備綴じ具を、複写先紙葉類に装着した状態となるように供給、又は、装着しない状態となるように供給することを特徴とする請求項１乃至１５いずれか記載の紙葉類複写管理システム。
【請求項１７】
前記複写先紙葉類に、前記装備綴じ具、または記憶部材を備えず且つ紙葉類を綴じることが可能な非装備綴じ具のどちらの綴じ具を供給するかを示す選択供給命令を受け付ける第１選択供給命令受付手段を備えるものであって、
前記第１選択供給命令受付手段で受け付けた選択供給命令が、前記複写先紙葉類に前記装備綴じ具を供給する旨の命令である場合には、前記供給手段に、前記装備綴じ具を供給させる一方、前記第１選択供給命令受付手段で受け付けた選択供給命令が、前記複写先紙葉類に前記装備綴じ具を供給しない旨の命令である場合には、前記供給手段に、前記非装備綴じ具を供給、又は、綴じ具を供給させないようにしたことを特徴とする請求項１６記載の紙葉類複写管理システム。
【請求項１８】
前記記憶部材が、複数枚の紙葉類を綴じることが可能な綴じ具に一体的または他の部材を介して半一体的に備えられてなるものであって、
前記供給手段が、前記記憶部材を装備した装備綴じ具を、複写元紙葉類に装着した状態となるように供給、又は、装着しない状態となるように供給することを特徴とする請求項１乃至１７いずれか記載の紙葉類複写管理システム。
【請求項１９】
前記複写元紙葉類に、前記装備綴じ具、または記憶部材を備えず且つ紙葉類を綴じることが可能な非装備綴じ具のどちらの綴じ具を供給するかを示す選択供給命令を受け付ける第２選択供給命令受付手段を備えるものであって、
前記第２選択供給命令受付手段で受け付けた選択供給命令が、前記複写元紙葉類に前記装備綴じ具を供給する旨の命令である場合には、前記供給手段に、前記装備綴じ具を供給させる一方、前記第２選択供給命令受付手段で受け付けた選択供給命令が、前記複写元紙葉類に前記装備綴じ具を供給しない旨の命令である場合には、前記供給手段に、前記非装備綴じ具を供給、又は、綴じ具を供給させないようにしたことを特徴とする請求項１８記載の紙葉類複写管理システム。
【請求項２０】
前記記憶部材が、前記紙葉類に貼付可能な貼付部材に一体的に備えられるものであって、
前記供給手段が、前記記憶部材を装備した装備貼付部材を、複写先紙葉類に直接的に貼付することを目的に供給、又は、貼付しない状態でそのまま供給することを特徴とする請求項１乃至１５いずれか記載の紙葉類複写管理システム。
【請求項２１】
前記複写先紙葉類に、前記装備貼付部材、または記憶部材を備えず且つ紙葉類に貼り付け可能な非装備貼付部材のどちらの貼付部材を供給するかを示す選択供給命令を受け付ける第１選択供給命令受付手段を備えるものであって、
前記第１選択供給命令受付手段で受け付けた選択供給命令が、前記複写先紙葉類に前記装備貼付部材を供給する旨の命令である場合には、前記供給手段に、前記装備貼付部材を供給させる一方、前記第１選択供給命令受付手段で受け付けた選択供給命令が、前記複写先紙葉類に前記装備貼付部材を供給しない旨の命令である場合には、前記供給手段に、前記非装備貼付部材を供給、又は、貼付部材を供給させないようにしたことを特徴とする請求項２０記載の紙葉類複写管理システム。
【請求項２２】
前記記憶部材が、前記紙葉類に貼付可能な貼付部材に一体的に備えられるものであって、
前記供給手段が、前記記憶部材を装備した装備貼付部材を、複写元紙葉類に直接的に貼付することを目的に供給、又は、貼付しない状態でそのまま供給することを特徴とする請求項１乃至１５、２０、２１いずれか記載の紙葉類複写管理システム。
【請求項２３】
前記複写元紙葉類に、前記装備貼付部材、または記憶部材を備えず且つ紙葉類に貼り付け可能な非装備貼付部材のどちらの貼付部材を供給するかを示す選択供給命令を受け付ける第２選択供給命令受付手段を備えるものであって、
前記第２選択供給命令受付手段で受け付けた選択供給命令が、前記複写元紙葉類に前記装備貼付部材を供給する旨の命令である場合には、前記供給手段に、前記装備貼付部材を供給させる一方、前記第２選択供給命令受付手段で受け付けた選択供給命令が、前記複写元紙葉類に前記装備貼付部材を供給しない旨の命令である場合には、前記供給手段に、前記非装備貼付部材を供給、又は、貼付部材を供給させないようにしたことを特徴とする請求項２２記載の紙葉類複写管理システム。
【請求項２４】
前記記憶部材が、所定の情報を書き込み可能なものであって、
前記複写出力手段で読み取る複写内容を、前記記憶部材に書き込む書き込み手段を具備していることを特徴とする請求項１乃至２３いずれか記載の紙葉類複写管理システム。
【請求項２５】
複写元となる複写元紙葉類に印刷または書き込みされてなる可視情報をその複写元紙葉類から読み取って複写先紙葉類に複写出力する複写出力手段と、
所定のタイミングで、前記複写先紙葉類に対して付与すべく記憶部材を供給する第１供給手段と、
前記第１供給手段が供給する記憶部材に記憶している識別情報を複写先識別情報として取得する複写先識別情報取得手段と、
前記複写先識別情報取得手段で取得した複写先識別情報を外部で管理させるために出力する識別情報出力手段とを具備することを特徴とする紙葉類複写装置。
【請求項２６】
複写元紙葉類に備えた記憶部材に記憶する識別情報を複写元識別情報として取得する複写元識別情報取得手段を具備するものであって、
前記識別情報出力手段が、前記複写元識別情報取得手段で取得した複写元識別情報と、前記複写先識別情報取得手段で取得した複写先識別情報とを関連付けて管理させるために、外部に対して出力することを特徴とする請求項２５記載の紙葉類複写装置。
【請求項２７】
複写元となる複写元紙葉類に印刷又は書き込みされてなる可視情報をその複写元紙葉類から読み取って複写先となる複写先紙葉類に複写する複写出力手段と、
識別情報を記憶する記憶部材を前記複写先紙葉類に対して付与すべく供給する第１供給手段と、
前記第１供給手段が複写先紙葉類に対して供給する記憶部材からその記憶部材に記憶している識別情報を管理するために取得する識別情報取得手段とを具備することを特徴とする紙葉類複写装置。
【請求項２８】
複写元となる複写元紙葉類に印刷または書き込みされてなる可視情報をその複写元紙葉類から読み取って複写先紙葉類に複写出力する複写出力手段と、
所定のタイミングで、前記複写元紙葉類に対して付与すべく記憶部材を供給する第２供給手段と、
前記第２供給手段が供給する記憶部材に記憶している識別情報を複写元識別情報として取得する複写元識別情報取得手段と、
前記複写元識別情報取得手段で取得した複写元識別情報を外部で管理させるために出力する識別情報出力手段とを具備することを特徴とする紙葉類複写装置。
【請求項２９】
複写元となる複写元紙葉類に印刷又は書き込みされてなる可視情報をその複写元紙葉類から読み取って複写先となる複写先紙葉類に複写する複写出力手段と、
識別情報を記憶する記憶部材を前記複写元紙葉類に対して付与すべく供給する第２供給手段と、
前記第２供給手段が複写元紙葉類に対して供給する記憶部材からその記憶部材に記憶している識別情報を管理するために取得する識別情報取得手段とを具備することを特徴とする紙葉類複写装置。
【請求項３０】
複写元となる複写元紙葉類に印刷又は書き込みされてなる可視情報をその複写元紙葉類から読み取って複写先となる複写先紙葉類に複写する複写出力手段と、
複写元紙葉類に備えた記憶部材に記憶する識別情報を複写元識別情報として取得する複写元識別情報取得手段とを具備するものであって、
前記複写元識別情報取得手段が、複写元紙葉類に備えていた記憶部材を載置又は収集するための所定部に、一体的または、その所定部近傍に配設されていることを特徴とする紙葉類複写装置。
【請求項３１】
複写元となる複写元紙葉類に印刷又は書き込みされてなる可視情報をその複写元紙葉類から読み取って複写先となる複写先紙葉類に複写するとともに、識別情報を記憶する記憶部材を前記複写先紙葉類に対して付与すべく供給することにより、少なくともその複写先紙葉類を管理し得るように構成した紙葉類複写装置と通信可能に接続される装置であって、
前記紙葉類複写装置で取得した複写先識別情報を受信する識別情報受信手段と、この識別情報受信手段で受信した複写先識別情報を管理する複写データ管理手段とを具備していることを特徴とする複写データ管理装置。
【請求項３２】
前記識別情報受信手段が、複写元紙葉類に備えた記憶部材に記憶する複写元識別情報を前記紙葉類複写装置から受信するものであって、
前記複写データ管理手段が、前記識別情報受信手段で受信した複写先識別情報と複写元識別情報とを関連付けて管理することを特徴とする請求項３１記載の複写データ管理装置。
【請求項３３】
前記識別情報受信手段が、複写元紙葉類に備えた記憶部材に記憶する複写元識別情報を前記紙葉類複写装置から受信するものであって、
前記複写データ管理手段が、前記識別情報受信手段で受信した複写先識別情報と、前記識別情報受信手段で受信した複写元識別情報で識別される複写元紙葉類上の可視情報と対応したデジタル情報とを関連付けて管理することを特徴とする請求項３１記載の複写データ管理装置。
【請求項３４】
前記所定のデジタル情報が、少なくとも１以上のアクセスレベルによりそのアクセスを制限されるものであることを特徴とする請求項３３記載の複写データ管理装置。
【請求項３５】
複写元となる複写元紙葉類に印刷又は書き込みされてなる可視情報をその複写元紙葉類から読み取って複写先となる複写先紙葉類に複写するとともに、識別情報を記憶する記憶部材を前記複写元紙葉類に対して付与すべく供給することにより、少なくともその複写元紙葉類を管理し得るように構成した紙葉類複写装置と通信可能に接続される装置であって、
前記紙葉類複写装置で取得した複写元識別情報を受信する識別情報受信手段と、この識別情報受信手段で受信した複写元識別情報を管理する複写データ管理手段とを具備していることを特徴とする複写データ管理装置。
【発明の詳細な説明】
【技術分野】
【０００１】
本発明は、紙葉類に印刷又は書き込みされてなる可視情報を他の紙葉類に複写するとともに、複写した紙葉類を管理し得るように構成した紙葉類複写管理システムに関するものである。
【背景技術】
【０００２】
複写機などから排出される印刷済みの紙を紙引込みローラ機構によって順次書類綴じ装置内の綴じ処理テーブル上へ引込み、引込んだ印刷済みの紙を紙揃え機構により揃えて電動ステープラにより綴じ、綴じた印刷済みの紙を紙排出機構により排出するように構成した書類綴じ装置が提供されている（例えば、特許文献１参照。）。
【特許文献１】特願２００２−２４１０４５号公報（第２乃至第４頁、第１図）
【発明の開示】
【発明が解決しようとする課題】
【０００３】
しかしながら、このような書類綴じ装置では、複数枚の印刷済み若しくは複写済みの紙葉類を単に綴じるだけであるので、例えば、複写内容の異なる綴じたものが複数になった場合には、複写内容を読まなければ綴じたものがどのような類のものであるかを判別できない。すなわち、複写して綴じられた紙葉類を管理することが困難であるといった課題を有している。
【０００４】
そこで、本発明は、上述のような綴じたものはもちろんのこと一片の紙葉類に対しても、上述する問題を解決することを主たる課題とするものである。
【課題を解決するための手段】
【０００５】
すなわち、本発明の紙葉類複写管理システムは、複写元となる複写元紙葉類に印刷又は書き込みされてなる可視情報を複写先となる複写先紙葉類に複写するとともに、識別情報を記憶する記憶部材を前記複写元紙葉類および前記複写先紙葉類のうち少なくとも一方に対して付与すべく供給することにより、その複写元紙葉類および複写先紙葉類のうち少なくとも一方を管理し得るように構成したシステムであって、前記可視情報を前記複写元紙葉類から読み取って複写先紙葉類に複写出力する複写出力手段と、所定のタイミングで、記憶部材を前記複写元紙葉類および複写先紙葉類のうち少なくとも一方に対して付与すべく供給する供給手段と、前記供給手段が供給する記憶部材に記憶している識別情報を取得する識別情報取得手段と、前記識別情報取得手段で取得する識別情報を管理する複写データ管理手段とを具備するようにしたものである。
【０００６】
ここで、「紙葉類」とは、一般的な紙を含むことはもちろんのこと、例えば樹脂製フィルムなどのように、表面部に複写可能な紙葉状のもの全般を含むものと定義する。
【０００７】
このような構成によれば、複写出力手段が、複写元紙葉類上の可視情報を読み取って複写先紙葉類に複写出力するとともに、供給手段により前記複写元紙葉類および複写先紙葉類のうち少なくとも一方に対して付与すべく供給された記憶部材に記憶している識別情報が、識別情報取得手段で取得されて複写データ管理手段で管理されるので、この複写データ管理手段で管理している識別情報に基づいて前記複写元紙葉類および複写先紙葉類のうち少なくとも一方の管理を容易に行うことができる。
【０００８】
なお、複写先紙葉類を好適に管理するには、前記供給手段が、記憶部材を前記複写先紙葉類に対して付与すべく供給する第１供給手段を備え、前記識別情報取得手段が、前記第１供給手段が供給する記憶部材に記憶している識別情報を複写先識別情報として取得する複写先識別情報取得手段を備えるものであって、前記複写データ管理手段が、前記複写先識別情報取得手段で取得した複写先識別情報を管理するように構成しているものが挙げられる。
【０００９】
また、複写元紙葉類と複写先紙葉類とを関連付けて管理するためには、前記供給手段が、記憶部材を前記複写先紙葉類に対して付与すべく供給する第１供給手段と、記憶部材を前記複写元紙葉類に対して付与すべく供給する第２供給手段とを備え、且つ、前記識別情報取得手段が、前記第１供給手段が供給する記憶部材に記憶している識別情報を複写先識別情報として取得する複写先識別情報取得手段と、前記第２供給手段が供給する記憶部材に記憶している識別情報を複写元識別情報として取得する複写元識別情報取得手段と備えるものであって、前記複写データ管理手段が、前記複写先識別情報取得手段で取得した複写先識別情報と、前記複写元識別情報取得手段で取得した複写元識別情報とを関連付けて管理するように構成しているものが挙げられる。
【００１０】
また、複写元紙葉類と複写先紙葉類上の可視情報とを関連付けて管理するためには、前記複写データ管理手段が、複写元紙葉類に備えた記憶部材に記憶する複写元識別情報と前記複写元紙葉類上の可視情報と対応したデジタル情報とを関連付けて管理するものであり、前記供給手段が、記憶部材を前記複写先紙葉類に対して付与すべく供給する第１供給手段を備え、前記識別情報取得手段が、前記第１供給手段が供給する記憶部材に記憶している識別情報を複写先識別情報として取得する複写先識別情報取得手段と、前記複写元紙葉類に備えた記憶部材に記憶している識別情報を複写元識別情報として取得する複写元識別情報取得手段と備え、さらに、前記複写元識別情報取得手段で取得した複写元識別情報と関連付けて管理されている所定のデジタル情報を抽出するデータ抽出手段とを具備するものであって、前記複写データ管理手段が、前記複写先識別情報取得手段で取得した複写先識別情報と、前記データ抽出手段で抽出した前記所定のデジタル情報とを関連付けて管理すればよい。
【００１１】
そして、複写先紙葉類上の可視情報に係るデジタル情報の利用を好適に制限するためには、前記所定のデジタル情報が、少なくとも１以上のアクセスレベルによりそのアクセスを制限されるものであることが望ましい。
【００１２】
そのアクセスレベルの具体的な態様としては、前記アクセスレベルが、前記デジタル情報の読み取り、前記デジタル情報への書き込み、前記デジタル情報の内容の変更、前記デジタル情報の削除、前記デジタル情報に係る所定処理の実行、前記デジタル情報の印刷、前記デジタル情報の新たな場所への保存、のうち少なくとも一つを含むものが挙げられる。
【００１３】
さらに、前記デジタル情報の利用を制限を設定又は変更するためには、前記アクセスレベルの設定又は変更を受け付けるアクセスレベル設定手段を具備しているようにすればよい。
【００１４】
ところで、複写元紙葉類の管理を好適に行うには、前記供給手段が、記憶部材を前記複写元紙葉類に対して付与すべく供給する第２供給手段を備え、前記識別情報取得手段が、前記第２供給手段が供給する記憶部材に記憶している識別情報を複写元識別情報として取得する複写元識別情報取得手段を備えるものであって、前記複写データ管理手段が、前記複写元識別情報取得手段で取得した複写元識別情報を管理するように構成しているものが挙げられる。
【００１５】
また、複写元紙葉類に、取り付けられていた記憶部材を再供給するためには、前記第２供給手段が供給する記憶部材が、前記複写元紙葉類から取り外された記憶部材となるようにすればよい。
【００１６】
また、複写元紙葉類に、取り付けられていた記憶部材と異なる記憶部材を新たに供給するためには、前記第２供給手段が供給する記憶部材が、前記複写元紙葉類から取り外された記憶部材と異なる記憶部材となるようにすればよい。
【００１７】
また、システムへの組み込みの設計自由度を向上させるためには、前記識別情報取得手段が、前記記憶部材に記憶している所定の情報を非接触方式にて読み取り可能に動作する無線通信デバイスであることが好ましい。
【００１８】
なお、紙葉類の利用に対するセキュリティレベルを上げるには、前記複写データ管理手段が、個人を識別可能な個人情報と前記識別情報取得手段で取得する識別情報とを関連付けて管理するように構成していることが望ましい。
【００１９】
前記個人情報の望ましい態様としては、個人情報に、前記紙葉類を保管するために前記個人用に設けられた保管場所に係る情報を含むものが挙げられる。
【００２０】
個人情報と識別情報との関連付けを解除するためには、前記複写データ管理手段で管理される個人情報と識別情報との関連付けを解除する個人情報登録解除命令を受け付ける個人情報登録解除命令受付手段を備えていることが好ましい。
【００２１】
複写ミスなどに好適に対応するためには、前記複写データ管理手段で管理される識別情報の管理状態を変更するための管理状態変更命令を受け付ける管理状態変更命令受付手段を備えていることが望ましい。
【００２２】
ところで、記憶部材を一体的に備えた装備綴じ具を、複写先紙葉類に供給する具体的な態様としては、前記記憶部材が、複数枚の紙葉類を綴じることが可能な綴じ具に一体的または他の部材を介して半一体的に備えられてなるものであって、前記供給手段が、前記記憶部材を装備した装備綴じ具を、複写先紙葉類に装着した状態となるように供給、又は、装着しない状態となるように供給するものが挙げられる。
【００２３】
また、装備綴じ具または記憶部材を装備しない非装備綴じ具を選択的に、複写先紙葉類に供給する具体的な態様としては、前記複写先紙葉類に、前記装備綴じ具、または記憶部材を備えず且つ紙葉類を綴じることが可能な非装備綴じ具のどちらの綴じ具を供給するかを示す選択供給命令を受け付ける第１選択供給命令受付手段を備えるものであって、前記第１選択供給命令受付手段で受け付けた選択供給命令が、前記複写先紙葉類に前記装備綴じ具を供給する旨の命令である場合には、前記供給手段に、前記装備綴じ具を供給させる一方、前記第１選択供給命令受付手段で受け付けた選択供給命令が、前記複写先紙葉類に前記装備綴じ具を供給しない旨の命令である場合には、前記供給手段に、前記非装備綴じ具を供給、又は、綴じ具を供給させないようにしたものが挙げられる。
【００２４】
そして、記憶部材を一体的に備えた装備綴じ具を、複写元紙葉類に供給する具体的な態様としては、前記記憶部材が、複数枚の紙葉類を綴じることが可能な綴じ具に一体的または他の部材を介して半一体的に備えられてなるものであって、前記供給手段が、前記記憶部材を装備した装備綴じ具を、複写元紙葉類に装着した状態となるように供給、又は、装着しない状態となるように供給するものが挙げられる。なお、本発明において、一体的とは「記憶部材と綴じ具とが、他の部材を介さず直接的に接して一体的な状態にあること」を意味する概念であり、半一体的とは「記憶部材と綴じ具とが、他の部材を介して間接的に位置付けられ一体的な状態にあること」を意味する概念である。
【００２５】
また、装備綴じ具または記憶部材を装備しない非装備綴じ具を選択的に、複写元紙葉類に供給する具体的な態様としては、前記複写元紙葉類に、前記装備綴じ具、または記憶部材を備えず且つ紙葉類を綴じることが可能な非装備綴じ具のどちらの綴じ具を供給するかを示す選択供給命令を受け付ける第２選択供給命令受付手段を備えるものであって、前記第２選択供給命令受付手段で受け付けた選択供給命令が、前記複写元紙葉類に前記装備綴じ具を供給する旨の命令である場合には、前記供給手段に、前記装備綴じ具を供給させる一方、前記第２選択供給命令受付手段で受け付けた選択供給命令が、前記複写元紙葉類に前記装備綴じ具を供給しない旨の命令である場合には、前記供給手段に、前記非装備綴じ具を供給、又は、綴じ具を供給させないようにしたものが挙げられる。
【００２６】
さらに、記憶部材を一体的に備えた装備貼付部材を、複写先紙葉類に供給する具体的な態様としては、前記記憶部材が、前記紙葉類に貼付可能な貼付部材に一体的に備えられるものであって、前記供給手段が、前記記憶部材を装備した装備貼付部材を、複写先紙葉類に直接的に貼付することを目的に供給、又は、貼付しない状態でそのまま供給するものが挙げられる。
【００２７】
また、装備貼付部材または記憶部材を装備しない非装備貼付部材を選択的に、複写先紙葉類に供給する具体的な態様としては、前記複写先紙葉類に、前記装備貼付部材、または記憶部材を備えず且つ紙葉類に貼り付け可能な非装備貼付部材のどちらの貼付部材を供給するかを示す選択供給命令を受け付ける第１選択供給命令受付手段を備えるものであって、前記第１選択供給命令受付手段で受け付けた選択供給命令が、前記複写先紙葉類に前記装備貼付部材を供給する旨の命令である場合には、前記供給手段に、前記装備貼付部材を供給させる一方、前記第１選択供給命令受付手段で受け付けた選択供給命令が、前記複写先紙葉類に前記装備貼付部材を供給しない旨の命令である場合には、前記供給手段に、前記非装備貼付部材を供給、又は、貼付部材を供給させないようにしたものが挙げられる。
【００２８】
そして、記憶部材を一体的に備えた装備貼付部材を、複写元紙葉類に供給する具体的な態様としては、前記記憶部材が、前記紙葉類に貼付可能な貼付部材に一体的に備えられるものであって、前記供給手段が、前記記憶部材を装備した装備貼付部材を、複写元紙葉類に直接的に貼付することを目的に供給、又は、貼付しない状態でそのまま供給するものが挙げられる。
【００２９】
また、装備貼付部材または記憶部材を装備しない非装備貼付部材を選択的に、複写元紙葉類に供給する具体的な態様としては、前記複写元紙葉類に、前記装備貼付部材、または記憶部材を備えず且つ紙葉類に貼り付け可能な非装備貼付部材のどちらの貼付部材を供給するかを示す選択供給命令を受け付ける第２選択供給命令受付手段とを備えるものであって、前記第２選択供給命令受付手段で受け付けた選択供給命令が、前記複写元紙葉類に前記装備貼付部材を供給する旨の命令である場合には、前記供給手段に、前記装備貼付部材を供給させる一方、前記第２選択供給命令受付手段で受け付けた選択供給命令が、前記複写元紙葉類に前記装備貼付部材を供給しない旨の命令である場合には、前記供給手段に、前記非装備貼付部材を供給、又は、貼付部材を供給させないようにしたものが挙げられる。
【００３０】
利便性をより向上させるには、前記記憶部材が、所定の情報を書き込み可能なものであって、前記複写出力手段で読み取る複写内容を、前記記憶部材に書き込む書き込み手段を具備していることが望ましい。
【００３１】
なお、紙葉類複写装置を、複写元となる複写元紙葉類に印刷または書き込みされてなる可視情報をその複写元紙葉類から読み取って複写先紙葉類に複写出力する複写出力手段と、所定のタイミングで、前記複写先紙葉類に対して付与すべく記憶部材を供給する第１供給手段と、前記第１供給手段が供給する記憶部材に記憶している識別情報を複写先識別情報として取得する複写先識別情報取得手段と、前記複写先識別情報取得手段で取得した複写先識別情報を外部で管理させるために出力する識別情報出力手段とを具備するものとすれば、上述の紙葉類複写管理システムで好適に利用できる。
【００３２】
そして、この場合、複写元紙葉類に備えた記憶部材に記憶する識別情報を複写元識別情報として取得する複写元識別情報取得手段を具備するものであって、前記識別情報出力手段が、前記複写元識別情報取得手段で取得した複写元識別情報と、前記複写先識別情報取得手段で取得した複写先識別情報とを関連付けて管理させるために、外部に対して出力するように構成すれば、複写先識別情報と、複写元識別情報とを関連付けて外部で好適に管理することが可能となる。
【００３３】
また、紙葉類複写装置を、複写元となる複写元紙葉類に印刷又は書き込みされてなる可視情報をその複写元紙葉類から読み取って複写先となる複写先紙葉類に複写する複写出力手段と、識別情報を記憶する記憶部材を前記複写先紙葉類に対して付与すべく供給する第１供給手段と、前記第１供給手段が複写先紙葉類に対して供給する記憶部材からその記憶部材に記憶している識別情報を管理するために取得する識別情報取得手段とを具備するものとすれば、該紙葉類複写装置を、複写先紙葉類を管理する機能を備えたものとしてスタンドアローン型で好適に利用できる。
【００３４】
なお、紙葉類複写装置を、複写元となる複写元紙葉類に印刷または書き込みされてなる可視情報をその複写元紙葉類から読み取って複写先紙葉類に複写出力する複写出力手段と、所定のタイミングで、前記複写元紙葉類に対して付与すべく記憶部材を供給する第２供給手段と、前記第２供給手段が供給する記憶部材に記憶している識別情報を複写元識別情報として取得する複写元識別情報取得手段と、前記複写元識別情報取得手段で取得した複写元識別情報を外部で管理させるために出力する識別情報出力手段とを具備するものとすれば、上述の紙葉類複写管理システムで好適に利用できる。
【００３５】
また、紙葉類複写装置を、複写元となる複写元紙葉類に印刷又は書き込みされてなる可視情報をその複写元紙葉類から読み取って複写先となる複写先紙葉類に複写する複写出力手段と、識別情報を記憶する記憶部材を前記複写元紙葉類に対して付与すべく供給する第２供給手段と、前記第２供給手段が複写元紙葉類に対して供給する記憶部材からその記憶部材に記憶している識別情報を管理するために取得する識別情報取得手段とを具備するものとすれば、該紙葉類複写装置を、複写元紙葉類を管理する機能を備えたものとしてスタンドアローン型で好適に利用できる。
【００３６】
さらに、該紙葉類複写装置を、複写元となる複写元紙葉類に印刷又は書き込みされてなる可視情報をその複写元紙葉類から読み取って複写先となる複写先紙葉類に複写する複写出力手段と、複写元紙葉類に備えた記憶部材に記憶する識別情報を複写元識別情報として取得する複写元識別情報取得手段とを具備するものとし、前記複写元識別情報取得手段が、複写元紙葉類に備えていた記憶部材を載置又は収集するための所定部に、一体的または、その所定部近傍に配設されるようにしてもよい。このようにすれば、使い勝手を向上させることができる。
【００３７】
なお、複写データ管理装置を、複写元となる複写元紙葉類に印刷又は書き込みされてなる可視情報をその複写元紙葉類から読み取って複写先となる複写先紙葉類に複写するとともに、識別情報を記憶する記憶部材を前記複写先紙葉類に対して付与すべく供給することにより、少なくともその複写先紙葉類を管理し得るように構成した紙葉類複写装置と通信可能に接続される装置であって、前記紙葉類複写装置で取得した複写先識別情報を受信する識別情報受信手段と、この識別情報受信手段で受信した複写先識別情報を管理する複写データ管理手段とを具備したものとすれば、複写先紙葉類を管理するタイプの複写データ管理装置として好適に利用できる。
【００３８】
そして、紙葉類の望ましい管理方法としては、前記識別情報受信手段が、複写元紙葉類に備えた記憶部材に記憶する複写元識別情報を前記紙葉類複写装置から受信するものであって、前記複写データ管理手段が、前記識別情報受信手段で受信した複写先識別情報と複写元識別情報とを関連付けて管理するものが挙げられる。また、前記識別情報受信手段が、複写元紙葉類に備えた記憶部材に記憶する複写元識別情報を前記紙葉類複写装置から受信するものであって、前記複写データ管理手段が、前記識別情報受信手段で受信した複写先識別情報と、前記識別情報受信手段で受信した複写元識別情報で識別される複写元紙葉類上の可視情報と対応したデジタル情報とを関連付けて管理するものであってもよい。
【００３９】
なお、前記所定のデジタル情報が、少なくとも１以上のアクセスレベルによりそのアクセスを制限されるものであれば、そのデジタル情報の利用を好適に制限できる。
【００４０】
さらに、複写元紙葉類を管理するタイプの複写データ管理装置としては、複写元となる複写元紙葉類に印刷又は書き込みされてなる可視情報をその複写元紙葉類から読み取って複写先となる複写先紙葉類に複写するとともに、識別情報を記憶する記憶部材を前記複写元紙葉類に対して付与すべく供給することにより、少なくともその複写元紙葉類を管理し得るように構成した紙葉類複写装置と通信可能に接続される装置であって、前記紙葉類複写装置で取得した複写元識別情報を受信する識別情報受信手段と、この識別情報受信手段で受信した複写元識別情報を管理する複写データ管理手段とを具備しているものが挙げられる。
【発明の効果】
【００４１】
以上に詳述した本発明によれば、複写出力手段が、複写元紙葉類上の可視情報を読み取って複写先紙葉類に複写出力するとともに、供給手段により複写元紙葉類および複写先紙葉類のうち少なくとも一方に対して付与すべく供給された記憶部材に記憶している識別情報が、識別情報取得手段で取得される。そして、この識別情報が、少なくとも複写データ管理手段で管理されるので、この識別情報に基づき、複写元紙葉類および複写先紙葉類のうち少なくとも一方を好適に管理することができる。すなわち、複写元紙葉類や複写先紙葉類の管理を容易に行える紙葉類複写管理システムを供給することができる。
【発明を実施するための最良の形態】
【００４２】
以下、本発明の実施形態について、図を参照しながら説明する。
【００４３】
本発明の紙葉類複写管理システムＰＳは、図１に示すように、複写機能を備えた紙葉類複写装置Ｐ１と、データ管理機能を備えた複写データ管理装置Ｐ２とを具備してなる。そして、これら紙葉類複写装置Ｐ１と複写データ管理装置Ｐ２とは通信ケーブルＬによって通信可能に接続されている。なお、通信方法は、無線を利用したものであっても構わない。
【００４４】
具体的に各装置を説明する。
【００４５】
紙葉類複写装置Ｐ１は、複写元紙葉類Ｓｙに印刷又は書き込みされた可視情報（図示せず）を複写先紙葉類Ｓｘに複写する複写機能を具備するとともに、複写を終えた複写先紙葉類Ｓｘを識別するための識別情報を記憶する記憶部材Ｍ（図２参照）を装着する記憶部材装着機能とを具備したものである。そして、図３に示すように、入力手段１０１、表示手段１０２、複写出力手段１０３、通信手段１０４、記憶部材Ｍを一体的に備えた装備綴じ具たる装備ステープルＴ（図２参照）を複写先紙葉類Ｓｘ及び複写元紙葉類Ｓｙ（以下、紙葉類Ｓと総称する。）に付与すべく供給する第１供給手段１０５ａ及び第２供給手段１０５ｂ（以下、供給手段１０５と総称する。）、前記記憶部材Ｍに記憶している識別情報を読み取るための複写先識別情報取得手段１０６ａ及び複写元識別情報取得手段１０６ｂ（以下、識別情報取得手段１０６と総称する。）、前記供給手段１０５などの動作を制御する制御手段１０７等を主な構成要素とする。
【００４６】
なお、本実施形態では、記憶部材ＭにＲＦＩＤタグを用いている。このＲＦＩＤタグは、無線通信により非接触で情報の書き込みや読み出しが可能な記録媒体である。また、ＲＦＩＤの方式としては、電磁誘導方式（電磁誘導作用を利用してＲＦＩＤタグに電力を供給しながらＲＦＩＤタグと交信する方式）、マイクロ波方式（マイクロ波帯を用いてＲＦＩＤタグと交信する方式）、光方式（赤外線等の光波を用いてＲＦＩＤタグと交信する方式）、その他を挙げることができるが、本実施形態では、電磁誘導方式を採用している。
【００４７】
また、本実施形態では、装備ステープルＴを、紙葉類の種類及び綴じるタイミングによって、種類の異なる所定の装備ステープルＴを供給するようにしている。すなわち、複写先紙葉類Ｓｘを複写後に綴じる際には装備ステープルＴｘを供給し、複写を終えた複写元紙葉類Ｓｙを綴じる際には、複写元紙葉類Ｓｙを複写前に綴じていた元装備ステープルＴｙ１とは異なる新装備ステープルＴｙ２を供給するようにしている。
【００４８】
以下、上述の構成要素について具体的に述べる。
【００４９】
入力手段１０１は、該紙葉類複写装置Ｐ１を所定動作させるための操作コマンドを受け付けるものである。本実施形態では、コピー開始ボタン、コピー部数ボタン、給紙選択ボタン、ジョブキャンセルボタンといった複数の操作ボタン等で構成される。
【００５０】
表示手段１０２は、前記入力手段１０１で受け付けた操作コマンドやエラーメッセージなどを表示するためのものであって、本実施形態では液晶ディスプレイを用いている。また、この表示手段１０２にタッチセンサ等を組み込んで入力手段としての機能を発揮するようにしてもよい。
【００５１】
複写出力手段１０３は、複写元紙葉類Ｓｙに印刷又は書き込みされた可視情報を読み取る読取手段（図示せず）と、読み取ったデータを複写先紙葉類Ｓｘに複写する印刷手段（図示せず）とを備えたものである。そして、本実施形態では、該複写出力手段１０３に隣接させて、該複写出力手段１０３に複写元紙葉類Ｓｙ及び複写先紙葉類Ｓｘを外部から引き込む引き込みローラ手段（図示せず）と、該複写出力手段１０３で複写を終えた複写元紙葉類Ｓｙ及び複写先紙葉類Ｓｘを外部に排出する排出ローラ手段（図示せず）とを備えるように構成している。
【００５２】
通信手段１０４は、複写データ管理装置Ｐ２などと通信可能に接続するためのものである。そして、本実施形態では、ＬＡＮボードやＬＡＮカードなどと呼ばれるネットワークカードを用いている。なお、本実施形態では、このネットワークカードに、有線通信機能を有するものを用いたが、無線通信機能を有するものであってもよい。
【００５３】
第１供給手段１０５ａは、所定のタイミングで、前記装備ステープルＴｘを、前記複写先紙葉類Ｓｘに対して付与すべく供給するものである。より具体的に、この第１供給手段１０５ａは、一対のレバーと、これら一対のレバー間に介在させた１又は複数枚の複写先紙葉類Ｓｘを綴じ止めるためのコの字型の装備ステープルＴ（図２参照）を打ち出す打針手段とを備えているものである。そして、後述する記憶部材供給指示手段１５から所定の指示を受けた際に、一のレバーに設けた打針手段により打ち出される記憶部材収容体に収容している装備ステープルＴｘを、他のレバーに設けたステープル受け部で受け止めて、紙綴じ器としての機能を発揮するように構成されている。なお、前記一対のレバー、打針手段、記憶部材収容体及びステープル受け部は、紙葉類複写装置Ｐ１内部に配設しているため、符号を省略している。
【００５４】
第２供給手段１０５ｂは、所定のタイミングで、前記新装備ステープルＴｙ２を、前記複写元紙葉類Ｓｙに対して付与すべく供給するものである。この第２供給手段１０５ｂの具体的な構成は、前記第１供給手段１０５ａと同様であるので説明を省略する。また、この第２供給手段１０５ｂは、前記第１供給手段１０５ａと物理的に一体に構成することを妨げない。
【００５５】
複写先識別情報取得手段１０６ａは、複写先紙葉類Ｓｘに対して付与すべく供給する装備ステープルＴｘの記憶部材Ｍに記憶している識別情報を非接触方式にて読み取るものである。そして、本実施形態でこの複写先識別情報取得手段１０６ａは、前記記憶部材Ｍに備えた誘導コイルに誘起電圧を惹起させるためのコイル（アンテナ）を含む無線通信デバイスで構成している。なお、記憶部材Ｍが、光方式のものである場合には、この複写先識別情報取得手段１０６ａは該記憶部材Ｍと赤外線通信を行うための赤外線デバイスを含むものとなるなど、該複写先識別情報取得手段１０６ａの具体的な態様は、記憶部材Ｍの態様に応じたものとなる。
【００５６】
複写元識別情報取得手段１０６ｂは、複写元紙葉類Ｓｙに対して新たに付与すべく供給する新装備ステープルＴｙ２の記憶部材Ｍに記憶している識別情報（以下、新複写元識別情報と称する。）を非接触方式にて読み取るものである。なお、本実施形態では、複写元紙葉類Ｓｙから取り外した元装備ステープルＴｙ１の記憶部材Ｍから識別情報（以下、元複写元識別情報と称する。）を読み取るために、複写元紙葉類Ｓｙから取り外した元装備ステープルＴｙ１を載置する所定部たるトレーＴＲにも同一の複写元識別情報取得手段１０６ｂ（図示せず）を内蔵させて設けている。ただし、これら２つの複写元識別情報取得手段１０６ｂは一体であることを妨げない。また、この複写先識別情報取得手段１０６ａの具体的な構成は、前記複写先識別情報取得手段１０６ａと同様であるので説明を省略する。
【００５７】
制御手段１０７は、ＣＰＵ１０７ａ、内部メモリ１０７ｂとを具備するとともに、その内部メモリ１０７ｂに記憶されたプログラムにしたがって前記ＣＰＵ１０７ａが作動し、前記供給手段１０５などの動作を制御するための、図４に示すような、複写命令受付手段１１、選択供給命令受付手段１２、複写実行手段１３、複写状態検知手段１４、記憶部材供給指示手段１５、識別情報受付手段１６、識別情報送信手段１７、などとしての機能を発揮する。
【００５８】
より具体的には、複写命令受付手段１１は、複写元紙葉類Ｓｙ上の可視情報を複写先紙葉類Ｓｘに複写する複写命令を受け付けるものであって、前記入力手段１０１などを利用して構成している。また、複写データ管理装置Ｐ２など外部機器から送信されてくる命令を受け付けるようにしてもよい。
【００５９】
選択供給命令受付手段１２は、前記紙葉類Ｓに、装備ステープルＴ及び非装備綴じ具たる非装備ステープルＴ０のうちどちらのステープルを供給するかを示す選択供給命令を受け付けるものであって、前記入力手段１０１などを利用して構成している。なお、本実施形態では、選択供給命令には、デフォルト値として装備ステープルＴを装着する命令を設定しており、選択供給命令を新たに受け付けることがなければ、このデフォルト値を採用するように構成している。なお、この選択供給命令受付手段１２は、受け付けた命令が、複写先紙葉類Ｓｘに対する命令のときは、第１選択供給命令受付手段（図示せず）として機能し、複写元紙葉類Ｓｙに対する命令のときは、第２選択供給命令受付手段（図示せず）として機能する。
【００６０】
複写実行手段１３は、前記複写命令受付手段１１で受け付けた複写命令に基づき、前記複写出力手段１０３に複写の実行を行わせるものである。
【００６１】
複写状態検知手段１４は、前記複写出力手段１０３で行われる複写の状態を検知するものである。
【００６２】
記憶部材供給指示手段１５は、前記複写状態検知手段１４で複写が終了したと検知された際に、前記選択供給命令受付手段１２で受け付けた選択供給命令に基づき、供給手段１０５に対して所定の装備ステープルＴを紙葉類Ｓに装着させる指示を与えるものである。
【００６３】
詳述すると、前記選択供給命令受付手段１２で受け付けた選択供給命令が、複写先紙葉類Ｓｘに装備ステープルＴｘを供給する旨の命令であれば、第１供給手段１０５ａに、複写先紙葉類Ｓｘに装備ステープルＴｘを綴じさせる指示をする。同命令が、複写先紙葉類Ｓｘに非装備ステープルＴ０を供給する旨の命令であれば、第１供給手段１０５ａに、複写先紙葉類Ｓｘに非装備ステープルＴ０を綴じさせる指示をする。同命令が、複写元紙葉類Ｓｙに新装備ステープルＴｙ２を供給する旨の命令であれば、第２供給手段１０５ｂに、複写元紙葉類Ｓｙに新装備ステープルＴｙ２を綴じさせる指示をする。同命令が、複写元紙葉類Ｓｙに非装備ステープルＴ０を供給する旨の命令であれば、第２供給手段１０５ｂに、複写元紙葉類Ｓｙに非装備ステープルＴ０を綴じさせる指示をする。
【００６４】
識別情報受付手段１６は、前記複写先識別情報取得手段１０６ａ又は前記複写元識別情報取得手段１０６ｂに対して、各紙葉類Ｓにそれぞれ装着される装備ステープルＴの記憶部材Ｍからその記憶部材Ｍに記憶している識別情報の取得の実行をさせ、前記複写先識別情報取得手段１０６ａ及び前記複写元識別情報取得手段１０６ｂで取得した識別情報を複写先識別情報及び新複写元識別情報として受け付けるものである。また、本実施形態では、前記複写元識別情報取得手段１０６ｂに対して前記トレーＴＲに置かれた記憶部材Ｍに記憶している識別情報を取得させ、これを元複写元識別情報として受け付けるようにしている。
【００６５】
識別情報送信手段１７は、前記識別情報受付手段１６で受け付けた各識別情報を複写データ管理装置Ｐ２に送信するものであって、前記通信手段１０４等を利用して構成している。
【００６６】
一方、複写データ管理装置Ｐ２は、データ管理機能を具備したものである。そして、図５に示すように、ＣＰＵ２０１、内部メモリ２０２、外部記憶手段２０３、マウスやキーボードなどの入力手段２０４、液晶ディスプレイなどの表示手段２０５、前記紙葉類複写装置Ｐ１などと通信するための通信手段２０６等を主な構成要素とする。
【００６７】
そして、その内部メモリ２０２に記憶させたプログラムにしたがって前記ＣＰＵ２０１及び周辺機器が作動し、図４に示すように、識別情報受信手段２１、複写データ管理手段２２、データ抽出手段２３、アクセスレベル設定手段２４、個人情報登録命令受付手段２５、個人情報登録解除命令受付手段２６、管理状態変更命令受付手段２７などとしての機能を発揮する。
【００６８】
より具体的には、識別情報受信手段２１は、前記紙葉類複写装置Ｐ１から送信される各識別情報を受信するものであって、前記通信手段２０６等を利用して構成している。
【００６９】
複写データ管理手段２２は、前記識別情報受信手段２１で受信した各識別情報を管理するものである。なお、本実施形態では、前記識別情報受信手段２１で受信した各識別情報を管理するために、受信した各識別情報を前記内部メモリ２０２または外部記憶装置２０３の所定領域に、図６、図７に示すような格納態様で格納するように構成している。具体的にその格納態様を説明する。図６は、複写前の格納状態を示すものである。元複写元識別情報は、デジタル情報の保存場所及びデジタル情報のアクセスレベルと関連付けられた状態で格納されている。また、複写先識別情報及び新複写元識別情報には、複写前であるので何も格納されていないことを示す「ＮＵＬＬ」が格納されている。図７は、元複写元識別情報Ａ０００１に係る複写を行った後における格納状態を示すものである。図７に示すように、複写後には、新複写元識別情報及び複写先識別情報（この場合、Ｃ０００１及びＢ０００１）が、元複写元識別情報（この場合、Ａ０００１）に関連付けられて格納される。すなわち、新複写元識別情報、元複写元識別情報、複写先識別情報のいずれかをキーとして、デジタル情報にアクセスすることができる。
【００７０】
なお、本実施形態では、アクセスレベルとして、６段階のアクセスレベル1)Ｒ、2)Ｗ１、3)Ｐ、4)Ｗ２、5)Ｘ、6)Ａを設定できるように構成している。具体的に、「Ｒ」はデジタル情報の読み取り権（以下、リード権Ｒと称する）を示すものである。「Ｗ１」はリード権Ｒ＋書き込み権（以下、加筆権Ｗ１と称する）を示すものである。「Ｐ」はデジタル情報の印刷権（以下、印刷権Ｐと称する）を示すものである。「Ｗ２」は加筆権Ｗ１＋内容の変更・削除権（以下、フルアクセス権Ｗ２と称する）を示すものである。「Ｘ」はフルアクセス権Ｗ２＋デジタル情報に係る所定処理の実行権（以下、実行権Ｘと称する）を示すものである。「Ａ」はデジタル情報の新たな場所への保存権（以下、別名保存権Ａと称する）を示すものである。ここで、新たな場所とは、内部メモリ２０２や外部記憶装置２０３の他の所定領域や、該複写データ管理装置Ｐ２に通信可能に接続される外部機器、あるいは、携帯可能な記録媒体などが挙げられる。また、保存には、前記デジタル情報をコピーして保存するもの（ただし、移動元となるデジタル情報は、その移動元に残す。）と、前記デジタル情報を移動して保存するもの（ただし、移動元となるデジタル情報は、その移動元に残さない。）との両方が含まれる概念である。そして、これらアクセスレベルは、1)Ｒ、2)Ｗ１、3)Ｐ、4)Ｗ２、5)Ｘ、6)Ａの昇順に、デジタル情報に対するアクセス権限が大きくなるものと定義している。なお、アクセスレベルの段階、順列、レベルの設定などは本実施形態に限られるものではない。また、アクセスレベルを、デジタル情報の利用回数や利用期間を制限するように設定することもできる。
【００７１】
また、図６、図７には、図示していないが、この複写データ管理手段２２で個人情報を管理するようにしている。
【００７２】
データ抽出手段２３は、前記識別情報受信手段２１で受信した複写元識別情報と関連付けて前記複写データ管理手段２２に管理されている所定のデジタル情報を抽出するものである。
【００７３】
アクセスレベル設定手段２４は、前記アクセスレベルの設定又は変更を受け付けるものであって、前記入力手段２０４等を利用して構成している。
【００７４】
個人情報登録命令受付手段２５は、前記紙葉類複写装置Ｐ１から送信される個人情報登録命令を受け付けるものであって、通信手段２０６などを利用して構成している。ここで、個人とは、前記紙葉類複写装置Ｐ１を操作するユーザである。また、個人を識別可能な個人情報とは、例えば、その個人が携帯するカード等に記録されたＩＤ番号が挙げられる。この個人情報は、複写先紙葉類Ｓｘや複写元紙葉類Ｓｙなどを保管するためにその個人用に設けられた保管場所に係る情報などであってもよい。なお、この保管場所としては、物理的に存在するフォルダ等が挙げられる。具体的には、コピー機の出口で複数の各個人別に振り分けられるトレー等が挙げられる。そして、個人情報登録命令とは、その個人情報と複写先識別情報または複写元識別情報とを関連付けて、該複写データ管理装置Ｐ２の複写データ管理手段２２に登録する命令を指す。
【００７５】
個人情報登録解除命令受付手段２６は、前記紙葉類複写装置Ｐ１から送信される個人情報登録解除命令を受け付けるものであって、通信手段２０６などを利用して構成している。ここで、個人情報登録解除命令とは、前記複写データ管理手段２２で管理される個人情報と複写先識別情報または複写元識別情報との関連付けを解除するものである。
【００７６】
管理状態変更命令受付手段２７は、前記紙葉類複写装置Ｐ１から送信される管理状態変更命令を受け付けるものであって、通信手段２０６などを利用して構成している。ここで、管理状態変更命令とは、前記複写データ管理手段２２で管理される複写先識別情報または複写元識別情報の管理状態を変更するための命令であって、登録のやり直し命令などが挙げられる。これにより、誤って複写した際に好適に対応可能となる。
【００７７】
なお、個人情報登録命令受付手段２５、個人情報登録解除命令受付手段２６、管理状態変更命令受付手段２７で受け付ける命令は、前記紙葉類複写装置Ｐ１の入力手段１０１を利用して入力されたものを受信し、受け付けるようにしているが、前記入力手段２０４等を利用して、該複写データ管理装置Ｐ２で直接受け付けるようにしてもよい。
【００７８】
次に、本実施形態の紙葉類複写管理システムＰＳの動作について、図８〜図１５等に示すフロー図等を用いて説明する。
【００７９】
なお、この紙葉類複写管理システムＰＳの動作を、（１）複写前の複写元紙葉類Ｓｙに備えた元装備ステープルＴｙ１を取り外してから複写用に用い、複写を終えたその複写元紙葉類Ｓｙに新装備ステープルＴｙ２を新たに装着させる場合、（２）元装備ステープルＴｙ１を備えない複写元紙葉類Ｓｙに、複写後に新たに新装備ステープルＴｙ２を装着させる場合、（３）装備ステープルＴｙ１を備えない複写元紙葉類Ｓｙに、複写後にも新装備ステープルＴｙ２を装着させない場合、に分けて説明を行う。
【００８０】
まず、（１）の場合について説明する。
【００８１】
図８は、紙葉類複写装置Ｐ１において、元装備ステープルＴｙ１を取り外した複写元紙葉類Ｓｙ上の可視情報を、複写先紙葉類Ｓｘに複写し、複写を終えた複写先紙葉類Ｓｘを新たな装備ステープルＴｘで綴じるとともに、複写元紙葉類Ｓｙを複写前に綴じていた元装備ステープルＴｙ１とは異なる新装備ステープルＴｙ２で綴じ、さらに、各装備ステープルＴｘ、Ｔｙ１、Ｔｙ２の各記憶部材Ｍに記憶している各識別情報を取得して複写データ管理装置Ｐ２に送信する過程をフロー図で示したものである。
【００８２】
なお、この（１）の場合において、複写元紙葉類Ｓｙに装着させている元装備ステープルＴｙ１は、複写前に、その複写元紙葉類Ｓｙから取り外されて、複写元識別情報取得手段１０６ｂを内蔵させたトレーＴＲに載置することにより、取り外した元装備ステープルＴｙ１の記憶部材Ｍに記憶している識別情報を、その複写元識別情報取得手段１０６ｂで取得して複写データ管理装置Ｐ２に送信するようにしている。
【００８３】
図９は、複写データ管理装置Ｐ２において、紙葉類複写装置Ｐ１から受信した各識別情報を管理する過程をフロー図で示したものである。
【００８４】
まず、図８に示すように、複写命令受付手段１１が、複写命令を受け付けると（ステップＳ１０１）、複写実行手段１３が、複写出力手段１０３に複写の実行をさせる（ステップＳ１０２）。そして、複写状態検知手段１４が複写終了を検知すれば（ステップＳ１０３）、記憶部材供給指示手段１５が、第１供給手段１０５ａ及び第２供給手段１０５ｂに対して、複写先紙葉類Ｓｘ及び複写元紙葉類Ｓｙをそれぞれ綴じるための装備ステープルＴｘ、Ｔｙ２を供給させる（ステップＳ１０４）。なお、本実施形態では、各紙葉類Ｓｘ、Ｓｙを各装備ステープルＴｘ、Ｔｙ２で綴じた後に、該紙葉類複写装置Ｐ１外部に排紙させるようにしている。また、識別情報受付手段１６が、各識別情報取得手段１０６に対して取得させた複写先識別情報、新複写元識別情報、元複写元識別情報を受け付けると（ステップＳ１０５）、識別情報送信手段１７が、前記識別情報受付手段１６で受け付けた各識別情報を複写データ管理装置Ｐ２に対して送信する（ステップＳ１０６）。
【００８５】
一方、図９に示すように、複写データ管理装置Ｐ２において、識別情報受信手段２１が、紙葉類複写装置Ｐ１から送信される各識別情報を受信すると（ステップＳ２０１）、データ抽出手段２３が、識別情報受信手段２１で受信した元複写元識別情報に係るデジタル情報を抽出し（ステップＳ２０２）、複写データ管理手段２２が、識別情報受信手段２１で受信した複写先識別情報と、データ抽出手段で抽出されたデジタル情報とを関連付けて格納する（ステップＳ２０３）。
【００８６】
このようにして、複写データ管理装置Ｐ２で管理されるデジタル情報にアクセスした場合において、そのデジタル情報は、アクセスレベルによってその利用を制限されているので、例えば、デジタル情報にリード権（Ｒ）が設定されていれば、その読み込みだけが許可される。すなわち、アクセスしたデジタル情報の変更などの他の権限は許可されていないので、デジタル情報の利用を好適に制限することができる。
【００８７】
なお、前記ステップＳ２０２〜ステップＳ２０３において、識別情報受信手段２１で受信した新複写元識別情報と複写先識別情報とのみを関連付けて格納し（図１０参照）、元複写元識別情報及び該元複写元識別情報に係るデジタル情報とは関連を持たせないように管理するといった実施態様も挙げられる。
【００８８】
また、個人情報登録命令受付手段２５、個人情報登録解除命令受付手段２６、管理状態変更命令受付手段２７は、前記ステップＳ２０１〜ステップＳ２０３のいずれのときでも、所定の命令を受け付けることができる。そして、受け付けた命令に応じて、複写データ管理手段２２の管理内容に変化が生じ得る。
【００８９】
また、紙葉類複写装置Ｐ１のステップＳ１０４において、記憶部材Ｍを装備する装備ステープルＴｘ、Ｔｙ２を供給するように構成しているが、選択供給命令受付手段１２で受け付ける選択供給命令に応じて、装備ステープルＴｘ、Ｔｙ２と記憶部材Ｍを装備しない非装備ステープルＴ０とを選択的に供給することもできる。このステップで装備ステープルＴｘ、Ｔｙ２に替えて非装備ステープルＴ０を供給した場合には、識別情報を取得することはないので、複写データ管理装置Ｐ２に対して識別情報を送信しないで終了する。なお、装備ステープルＴｘ、Ｔｙ２および非装備ステープルＴ０のいずれも供給させないようにすることもできるが、いずれのステープルも供給させなければ、識別情報を送信しないで終了することは述べるまでも無い。
【００９０】
次に、（２）の場合について説明する。
【００９１】
図１１は、紙葉類複写装置Ｐ１において、複写元紙葉類Ｓｙ上の可視情報を複写先紙葉類Ｓｘに複写し、その複写先紙葉類Ｓｘを装備ステープルＴｘで綴じ、さらに、装備ステープルＴｘの記憶部材Ｍに記憶している識別情報を取得して複写データ管理装置Ｐ２に送信する過程をフロー図で示したものである。
【００９２】
図１２は、複写データ管理装置Ｐ２において、紙葉類複写装置Ｐ１から受信した識別情報を管理する過程をフロー図で示したものである。
【００９３】
まず、図１１に示すように、複写命令受付手段１１が、複写命令を受け付けると（ステップＳ３０１）、複写実行手段１３が、複写出力手段１０３に複写の実行をさせる（ステップＳ３０２）。そして、複写状態検知手段１４が複写終了を検知すれば（ステップＳ３０３）、記憶部材供給指示手段１５が、第１供給手段１０５ａ及び第２供給手段１０５ｂに対して、複写先紙葉類Ｓｘ及び複写元紙葉類Ｓｙをそれぞれ綴じるための装備ステープルＴｘ、Ｔｙ２を供給させる（ステップＳ３０４）。なお、（１）と同様に、紙葉類Ｓｘ、Ｓｙを装備ステープルＴｘ、Ｔｙ２で綴じた後に、該紙葉類複写装置Ｐ１外部に排紙させるようにしている。また、識別情報受付手段１６が、各識別情報取得手段１０６に対して取得させた複写先識別情報、新複写元識別情報を受け付けると（ステップＳ３０５）、識別情報送信手段１７が、前記識別情報受付手段１６で受け付けた各識別情報を複写データ管理装置Ｐ２に対して送信する（ステップＳ３０６）。
【００９４】
一方、図１２に示すように、複写データ管理装置Ｐ２において、識別情報受信手段２１が、紙葉類複写装置Ｐ１から送信される各識別情報を受信すると（ステップＳ４０１）、複写データ管理手段２２が、識別情報受信手段２１で受信した複写先識別情報と新複写元識別情報とを関連付けて格納する（図１０参照）（ステップＳ４０２）。
【００９５】
次に、（３）の場合について説明する。
【００９６】
図１３は、紙葉類複写装置Ｐ１において、複写元紙葉類Ｓｙ上の可視情報を複写先紙葉類Ｓｘに複写し、その複写先紙葉類Ｓｘを装備ステープルＴｘで綴じ、さらに、装備ステープルＴｘの記憶部材Ｍに記憶している識別情報を取得して複写データ管理装置Ｐ２に送信する過程をフロー図で示したものである。
【００９７】
図１４は、複写データ管理装置Ｐ２において、紙葉類複写装置Ｐ１から受信した識別情報を管理する過程をフロー図で示したものである。
【００９８】
まず、図１３に示すように、複写命令受付手段１１が、複写命令を受け付けると（ステップＳ５０１）、複写実行手段１３が、複写出力手段１０３に複写の実行をさせる（ステップＳ５０２）。そして、複写状態検知手段１４が複写終了を検知すれば（ステップＳ５０３）、記憶部材供給指示手段１５が、第１供給手段１０５ａに対して、複写先紙葉類Ｓｘを綴じるための装備ステープルＴｘを供給させる（ステップＳ５０４）。なお、本実施形態でも（１）と同様に、紙葉類Ｓを装備ステープルＴｘで綴じた後に、該紙葉類複写装置Ｐ１外部に排紙させるようにしている。また、識別情報受付手段１６が、複写先識別情報取得手段１０６ａに対して取得させた複写先識別情報を受け付けると（ステップＳ５０５）、識別情報送信手段１７が、前記識別情報受付手段１６で受け付けた複写先識別情報を複写データ管理装置Ｐ２に対して送信する（ステップＳ５０６）。
【００９９】
一方、図１４に示すように、複写データ管理装置Ｐ２において、識別情報受信手段２１が、紙葉類複写装置Ｐ１から送信される複写先識別情報を受信すると（ステップＳ６０１）、複写データ管理手段２２が、識別情報受信手段２１で受信した複写先識別情報を格納する（図１５参照）（ステップＳ６０２）。
【０１００】
以上に詳述したように、本実施形態の紙葉類複写管理システムＰＳは、複写出力手段１０３が、複写元紙葉類Ｓｙ上の可視情報を読み取って複写先紙葉類Ｓｘに複写出力するとともに、第１供給手段１０５ａによりその複写先紙葉類Ｓｘに対して付与すべく供給された記憶部材Ｍに記憶している識別情報が、複写先識別情報取得手段１０６ａで複写先識別情報として取得される。そして、この複写先識別情報が、少なくとも複写データ管理手段２２で管理されるので、この複写先識別情報に基づき、複写先紙葉類Ｓｘを好適に管理することができる。
【０１０１】
また、第２供給手段１０５ｂにより複写元紙葉類Ｓｙに対して付与すべく供給された記憶部材Ｍに記憶している識別情報を、複写元識別情報取得手段１０６ｂで複写元識別情報として取得し、複写データ管理手段２２で前記複写先識別情報と関連付けて管理すれば、より好適に、複写先紙葉類Ｓｘの管理及び複写元紙葉類Ｓｙの管理を行える。
【０１０２】
さらに、複写元識別情報取得手段１０６ｂで元複写元識別情報を取得すれば、この元複写元識別情報が、デジタル情報と関連付けられているので、さらに好適に複写先紙葉類Ｓｘの管理を行うことができる。
【０１０３】
また、このデジタル情報をアクセスレベルを有するものとすれば、該デジタル情報への利用を好適に制限することができる。
【０１０４】
なお、本実施形態では、各識別情報取得手段１０６が識別情報を取得するときを、装備ステープルＴの装着が終わったときとしているが、装着中に取得したり、あるいは装着前に取得するようにしてもよい。
【０１０５】
また、複写元紙葉類Ｓｙに装着している装備ステープルＴと異なる大きさ（例えば、綴じ枚数の大きなものや小さなもの）を有する装備ステープルを、該紙葉類複写装置Ｐ１内に予め備えておき、且つ、例えば、複写元紙葉類Ｓｙの２ページ分を、１枚の複写先紙葉類Ｓｘに縮小コピーすることにより、複写先紙葉類Ｓｘの総枚数が複写元紙葉類Ｓｙの総枚数の半分になった場合などには、綴じ枚数の小さな装備ステープルを装着させるようにしてもよい。
【０１０６】
ところで、本実施形態では、装備綴じ具に装備ステープルＴを用いているが、この装備綴じ具を装備ダブルクリップとすることができる。
【０１０７】
すなわち、供給手段１０５を、図１６に示すように、記憶部材Ｍを装備した装備ダブルクリップＣＬｘ、新装備ダブルクリップＣＬｙ２（以下、装備ダブルクリップＣＬと総称する。）を、それぞれ紙葉類Ｓに装着するための第１ダブルクリップ装着手段、第２ダブルクリップ装着手段（以下、ダブルクリップ装着手段と総称する。）を備えるように構成する。
【０１０８】
具体的なダブルクリップ装着手段としては、例えば、図１７に示すように、装備ダブルクリップＣＬを縦列をなして略密に装填するようにしているクリップ収容体ＣＡと、一方向へスライド動作することにより装備ダブルクリップＣＬをクリップ供給口ＣＡ１から供給するクリップ供給手段（図示せず）とを少なくとも備えるものが挙げられる。
【０１０９】
より具体的には、前記クリップ収容体ＣＡは、その内法ＣＡＨが、クリップ供給口ＣＡ１に向かってその高さ寸法ＣＬＨが漸次小さくなる形状を有するように構成する。また、クリップ供給手段は、クリップ収容体ＣＡ内の装備ダブルクリップＣＬを、図１７の矢印方向、すなわちクリップ供給口ＣＡ１に向かう方向に押圧するように構成する。このように構成したダブルクリップ装着手段において、クリップ供給手段が、クリップ収容体ＣＡ内の装備ダブルクリップＣＬをクリップ供給口ＣＡ１に向かう方向に押圧すると、装備ダブルクリップＣＬのつまみ部ＣＬａがクリップ収容体ＣＡの内壁ＣＡＸに案内されて相寄る方向に移動し、該装備ダブルクリップＣＬに紙葉類Ｓが挟み込むことが可能な状態になる。そしてさらに、装備ダブルクリップＣＬがクリップ供給口ＣＡ１に向かう方向に押圧されると、該装備ダブルクリップＣＬがこのクリップ収容体ＣＡのクリップ供給口ＣＡ１から完全に供給されて弾性変形し、該装備ダブルクリップＣＬにより紙葉類Ｓを綴じ込むことができる。
【０１１０】
そして、記憶部材供給指示手段１５を、前記複写状態検知手段１４から紙葉類Ｓへの複写が完了した旨を受け取った際に、前記供給手段１０５に対して、２種類の装備ダブルクリップＣＬのうち所定の装備ダブルクリップＣＬの紙葉類Ｓへの装着の実行をさせるように構成する。
【０１１１】
このように、供給手段１０５と記憶部材供給指示手段１５とを、上述の構成とすれば、複写先紙葉類Ｓｘに装備ダブルクリップＣＬｘを装着させ、複写元紙葉類Ｓｙに新装備ダブルクリップＣＬｙ２を装着させることができる。
【０１１２】
なお、本実施形態では、紙葉類Ｓを装備ダブルクリップＣＬにより綴じ込むように構成しているが、綴じ込まずに装備ダブルクリップＣＬを単体で供給するようにしてもよい。また、記憶部材Ｍを装備しない非装備ダブルクリップＣＬ０を提供するように構成してもよい。
【０１１３】
また、装備綴じ具は、装備ステープルＴや装備ダブルクリップＣＬに限られるものではなく、紙葉類Ｓを綴じ得るものであれば、例えば、紐体に記憶部材Ｍを装備した装備紐体（図示せず）であってもよい。また、この装備紐体は、紙葉類Ｓを綴じた状態で外部に供給するようにしてもよいし、あるいは、綴じない状態でそのまま供給するようにしてもよい。
【０１１４】
さらにまた、紙葉類Ｓに供給する部材を、上述の装備ステープルＴや装備ダブルクリップＣＬあるいは装備紐体などの装備綴じ具に替えて、紙葉類Ｓに貼り付け可能な貼付部材で構成することもできる。
【０１１５】
この場合には、供給手段１０５は、複数の装備シールＳＲＭｘと新装備シールＳＲＭｙ２（以下、装備シールＳＲＭと総称する。）とを収容する収容体たるシール収容体と、このシール収容体に収容している装備シールＳＲＭをシール供給口（図示せず）から取り出して紙葉類Ｓに貼り付けるシール供給手段とを少なくとも備えるようにすればよい。
【０１１６】
より具体的に各部を説明すると、前記シール収容体は、図１９に示すように、所定軸回りに回動可能な円盤状の回動部材ＳＳ１を回動可能に支持する支持部ＳＳ２を備えている。そして、前記回動部材ＳＳ１には、前記装備シールＳＲＭｘを剥離可能に設けた帯状の剥離部材ＳＴ１を外周部に巻き付けてなる。また、図示はしていないが、同様の構成を有する他の回動部材には、新装備シールＳＲＭｙ２を設けている。一方、シール供給手段は、前記装備シールＳＲＭｘを剥離部材ＳＴ１から剥がす剥離手段（図示せず）と、前記剥離手段により剥離部材ＳＴ１から剥がされた装備シールＳＲＭｘを紙葉類Ｓに直接的に貼り付ける貼付手段（図示せず）とを備えるように構成する。
【０１１７】
そして、記憶部材供給指示手段１５を、前記複写状態検知手段１４から紙葉類Ｓへの複写が完了した旨を受け取った際に、前記供給手段１０５に対して、所定の装備シールＳＲＭの紙葉類Ｓへの装着の実行をさせるように構成する。
【０１１８】
このように、供給手段１０５と記憶部材供給指示手段１５とを、上述の構成とすれば、複写先紙葉類Ｓｘに装備シールＳＲＭｘを貼付させ、複写元紙葉類Ｓｙに新装備シールＳＲＭｙ２を貼付させることができる。
【０１１９】
また、装備シールＳＲＭを紙葉類Ｓに貼付せずに、その紙葉類Ｓの排紙とともに直接的に貼付することを目的に提供するようにしてもよい。
【０１２０】
さらにまた、記憶部材Ｍを装備しない非装備シールＳＲＮを提供するように構成してもよい。
【０１２１】
ところで、本実施形態では、複写データ管理手段２２を複写データ管理装置Ｐ２に具備させているが、これを紙葉類複写装置Ｐ１に具備し、該紙葉類複写装置Ｐ１をスタンドアローンタイプで動作させるといった実施態様も考えられる。この場合、該紙葉類複写装置Ｐ１が、複写先紙葉類のみを管理する機能、若しくは複写元紙葉類のみを管理する機能を発揮するように構成してもよい。
【０１２２】
また、前記記憶部材Ｍを、所定の情報を書き込み可能なものとし、前記複写出力手段１０３で読み取る複写内容を、前記記憶部材Ｍに書き込む書き込み手段（図示せず）を紙葉類複写装置Ｐ１に具備すれば、利便性をさらに向上させることができる。
【０１２３】
また、装備綴じ具を、記憶部材Ｍを綴じ具たるステープルＳＳＳに一体的に備えた装備ステープルＴとしているが（図２参照）、記憶部材ＭをステープルＳＳＳに半一体的に備えたものとすることができる。具体的には、図２０に示すように、記憶部材Ｍを他の部材たる媒体取付部材ＺＺに設け、この媒体取付部材ＺＺをステープルＳＳＳを利用して紙葉類に付与すべく供給し得るように構成したものが挙げられる。ここで、媒体取付部材ＺＺを、複数のピースＺＺ１、ＺＺ２・・・、からなるものとし、これら各ピースＺＺ１、ＺＺ２、・・・をそれぞれ分離させて紙葉類に取り付け可能に構成しているが、これに限られるものではない。
【０１２４】
なお、各部の具体的な構成は、上述した実施形態のみに限定されるものではなく、本発明の趣旨を逸脱しない範囲で種々変形が可能である。
【図面の簡単な説明】
【０１２５】
【図１】本発明の実施形態における全体システム構成図。
【図２】同実施形態の記憶部材を一体的に備えた綴じ具を示す斜視図。
【図３】同実施形態における紙葉類複写装置の機器構成図。
【図４】同実施形態における全体システムの機能構成図。
【図５】同実施形態における複写データ管理装置の機器構成図。
【図６】同実施形態における管理情報の格納態様を示す図（複写前）。
【図７】同実施形態における管理情報の格納態様を示す図（複写後）。
【図８】同実施形態の紙葉類複写装置における複写命令の受付から各識別情報の送信までの動作を示すフロー図。
【図９】同実施形態の複写データ管理装置における各識別情報の受信から格納までの動作を示すフロー図。
【図１０】本発明の他の実施形態における管理情報の格納態様を示す図（複写後）。
【図１１】同実施形態の紙葉類複写装置における複写命令の受付から各識別情報の送信までの動作を示すフロー図。
【図１２】同実施形態の複写データ管理装置における各識別情報の受信から格納までの動作を示すフロー図。
【図１３】本発明の他の実施形態の紙葉類複写装置における複写命令の受付から各識別情報の送信までの動作を示すフロー図。
【図１４】同実施形態の複写データ管理装置における各識別情報の受信から格納までの動作を示すフロー図。
【図１５】同実施形態における管理情報の格納態様を示す図（複写後）。
【図１６】本発明の他の実施形態における全体システム構成図。
【図１７】同実施形態におけるダブルクリップ装着手段の概略構成図。
【図１８】本発明の他の実施形態における全体システム構成図。
【図１９】同実施形態におけるシール収容体の要部の概略構成図。
【図２０】同実施形態の記憶部材を半一体的に備えた綴じ具を示す斜視図。
【符号の説明】
【０１２６】
ＣＬｘ・・・装備綴じ具（装備ダブルクリップ）
ＣＬｙ１・・・装備綴じ具（元装備ダブルクリップ）
ＣＬｙ２・・・装備綴じ具（新装備ダブルクリップ）
ＣＬ０・・・非装備綴じ具（非装備ダブルクリップ）
Ｍ・・・記憶部材
ＰＳ・・・紙葉類複写管理システム
Ｐ１・・・紙葉類複写装置
Ｐ２・・・複写データ管理装置
ＳＲＭｘ・・・装備貼付部材（装備シール）
ＳＲＭｙ１・・・元装備貼付部材（元装備シール）
ＳＲＭｙ２・・・新装備貼付部材（新装備シール）
ＳＲＮ・・・非装備貼付部材（非装備シール）
Ｓｘ・・・複写先紙葉類
Ｓｙ・・・複写元紙葉類
Ｔ・・・装備綴じ具（装備ステープル）
Ｔｘ・・・装備綴じ具（装備ステープル）
Ｔｙ１・・・装備綴じ具（元装備ステープル）
Ｔｙ２・・・装備綴じ具（新装備ステープル）
Ｔ０・・・非装備綴じ具（非装備ステープル）
ＴＲ・・・所定部（トレー）
ＺＺ・・・他の部材（媒体取付部材）
１２・・・選択供給命令受付手段
１７・・・識別情報出力手段（識別情報送信手段）
２１・・・識別情報受信手段
２２・・・複写データ管理手段
２３・・・データ抽出手段
２４・・・アクセスレベル設定手段
２６・・・個人情報登録解除命令受付手段
２７・・・管理状態変更命令受付手段
１０３・・・複写出力手段
１０５・・・供給手段
１０５ａ・・・第１供給手段
１０５ｂ・・・第２供給手段
１０６・・・識別情報取得手段
１０６ａ・・・複写先識別情報取得手段
１０６ｂ・・・複写元識別情報取得手段
【図１】
2005107057.tif 000003
【図２】
2005107057.tif 000004
【図３】
2005107057.tif 000005
【図４】
2005107057.tif 000006
【図５】
2005107057.tif 000007
【図６】
2005107057.tif 000008
【図７】
2005107057.tif 000009
【図８】
2005107057.tif 000010
【図９】
2005107057.tif 000011
【図１０】
2005107057.tif 000012
【図１１】
2005107057.tif 000013
【図１２】
2005107057.tif 000014
【図１３】
2005107057.tif 000015
【図１４】
2005107057.tif 000016
【図１５】
2005107057.tif 000017
【図１６】
2005107057.tif 000018
【図１７】
2005107057.tif 000019
【図１８】
2005107057.tif 000020
【図１９】
2005107057.tif 000021
【図２０】
2005107057.tif 000022